(57)【要約】【課題】指向性表示における水平方向の解像度の劣化を抑制すること。【解決手段】ＢＬ１０において、３次元表示を含む多視点表示を行う場合、垂直方向において画素行ごとに画素一つ分ずつ横方向にシフトした複数の発光画素Ｌａからなる階段状の斜め発光画素列が、選択的に点灯される。これにより、指向性表示の１つの視点から観察される画素も縦方向に階段状となるため、画素行を跨ぐものの、横方向において従来技術よりも近い位置に画素が形成されることになる。つまり、指向性表示において、従来技術よりも水平方向における画素密度を高めることができる。【選択図】図４
2010044181.tif 000002
【特許請求の範囲】
【請求項１】
複数の画素が行列をなして配置された表示領域を有する液晶パネルと、複数の発光画素を有し、前記表示領域を背面から照明する面発光装置とを、備える表示パネルであって、
前記行列における画素行の延在方向を第１方向とし、前記第１方向と交差する画素列の延在方向を第２方向としたときに、
前記複数の発光画素の各々は、画素行における隣り合う２つの画素間ごとに跨って配置されるとともに、それぞれが選択的に点灯可能に設けられ、
前記第２方向において、前記画素行ごとに前記画素一つ分ずつ前記第１方向にシフトした複数の発光画素からなる階段状の斜め発光画素列が、選択的に点灯されることによって指向性表示を行うことを特徴とする表示パネル。
【請求項２】
前記画素の各々には、赤、緑、青を含む複数の色調のうち、いずれか一つが割当てられ、
前記画素行は、前記複数の色調が一定の順番で並べられた画素配列が、前記第１方向に連続して形成されていることを特徴とする請求項１に記載の表示パネル。
【請求項３】
前記斜め発光画素列を構成する複数の発光画素は、配線によって電気的に１つのセグメントとして接続されていることを特徴とする請求項１または２に記載の表示パネル。
【請求項４】
請求項１〜３のいずれか一項に記載の表示パネルと、
供給される画像信号の種類に応じて、少なくとも前記面発光装置の点灯態様を切換える制御部とを、備え、
前記制御部は、２次元画像信号が供給された場合には全ての前記発光画素を点灯させ、
３次元画像信号が供給された場合には前記斜め発光画素列を一つ置きに点灯させ、
多視点画像信号が供給された場合には前記斜め発光画素列を「多視点数−１」置きに点灯させることを特徴とする表示装置。
【請求項５】
前記制御部は、前記３次元画像信号が供給された場合には、点灯選択された前記発光画素に対して前記２次元画像信号が供給された場合における駆動電圧の約２倍の電圧を印加し、
前記多視点画像信号が供給された場合には、点灯選択された前記発光画素に対して前記２次元画像信号が供給された場合における駆動電圧の約「多視点数倍」の電圧を印加することを特徴とする請求項４に記載の表示装置。
【請求項６】
請求項４または５に記載の表示装置を表示部として備えたことを特徴とする電子機器。
【発明の詳細な説明】
【技術分野】
【０００１】
本発明は、表示パネル、および表示装置、並びに当該表示装置を備えた電子機器に関する。
【背景技術】
【０００２】
図１２は、従来の表示装置による指向性表示の態様を示す図である。
従来の表示装置２５０は、液晶パネル２２０と、当該液晶パネルの背面に設けられたバックライト２３０と、当該液晶パネルの表示側に設けられたパララックスバリアである視差バリア２４０とを備えていた。
表示装置２５０は、液晶パネル２２０の表示側に、図１２の紙面に対して奥行き方向（垂直方向）にストライプ状の開口部を有する遮光性の視差バリア２４０を重ねて配置することで、複数の異なる画像を互いに異なる範囲に指向性表示していた。
【０００３】
この指向性表示は、視差バリア２４０により、視角に応じて異なる画素がマスク（遮光）されること、換言すれば、視角に応じて異なる画素からの光が開口部を通して視認されることを利用したものである。
このような表示装置によれば、例えば、異なる画像である第１の画像と第２の画像とを、液晶パネル２２０に向かって右側からの視点ＶＲと、向かって左側からの視点ＶＬとに位置する、異なる人物にそれぞれ同時に視認させることができる。
また、立体画像を規定する３次元画像信号を液晶パネル２２０の隣り合う右画素、および左画素に供給するとともに、右目が視点ＶＲに、そして左目が視点ＶＬとなるような構成とすれば、立体表示（３次元表示）を行うことも可能であった。
【０００４】
また、特許文献１（例えば、図１）には、液晶パネルの背面側に、垂直方向に延在した複数のライン状光源からなるバックライトを備えた表示装置が開示されている。ライン状光源は、液晶パネルの垂直方向における隣り合う２つの画素列の間に配置され、また、それぞれのライン状光源間には間隙が設けられ、縦方向のストライプ状をなしていた。
この表示装置によれば、視差バリアを設けなくても前述した表示装置と同様な指向性表示が可能であった。これは、光を出射するライン状光源と、光を出射しないライン状の遮光部（ライン状光源間の間隙）とを有するバックライトが、視差バリアの機能も果たしているからである。
【０００５】
【特許文献１】米国特許第５３４９３７９号明細書
【発明の開示】
【発明が解決しようとする課題】
【０００６】
図１３は、従来の表示装置における２視点の画素態様を示す図である。
しかしながら、前述した従来の表示装置では、指向性表示における水平方向の解像度が劣化してしまうという課題があった。
ここで、上記課題について、図１３を用いて説明する。
図１３は、従来の表示装置の表示パネルにおける画素配置を示しており、表示領域を構成する複数の画素Ｐ11〜Ｐmnがｍ行ｎ列に配列された様子が示されている。
画素Ｐ11からＸ軸（＋）方向には、画素Ｐ11〜Ｐ1nまでの画素行（以降、「画素行Ｐ11」ともいう）が形成されている。また、画素Ｐ11は赤色の画素Ｒ、画素Ｐ12は緑色の画素Ｇ、画素Ｐ13は青色の画素Ｂというように、画素行において３つの画素ごとにＲＧＢの色画素が繰り返し配置されている。
【０００７】
また、画素Ｐ11からＹ軸（−）方向には、画素Ｐ11〜Ｐm1までの画素列（以降、「画素列Ｐ11」ともいう）が形成されている。同様に、各画素Ｐ12〜Ｐ1nにおいても、Ｙ軸（−）方向に、それぞれの画素列が形成されている。各画素列Ｐ11〜Ｐ1nの色調は、最上段の画素行Ｐ11における対応する画素の色調と同一になっている。
ライン状の光源（図示せず）は、画素列Ｐ11とＰ12との間、および画素列Ｐ13とＰ14との間、つまり、隣り合う２つの画素ごとに、当該２つの画素列間を跨ぐように配置されている。
図１３は、当該２つの画素ごとに配置されたライン状光源による２つの画像の指向性表示を行っている様子を示しており、画素列Ｐ11に附された「左」は紙面に向かって左側の視点から観察される画素を示し、画素列Ｐ12に附された「右」は右側の視点から観察される画素を示している。左側視点、右側視点は、例えば、立体画像を表示する場合には、それぞれ左目視点、および右目視点に相当する。
【０００８】
図１３においては、右側視点から観察される画素を白抜きで示しており、この右側視点におけるＲＧＢの３つの画素からなる１つのカラー画素Ｃａ11は、画素Ｐ12，Ｐ14，Ｐ16から構成される。また、カラー画素Ｃａ11と垂直方向（Ｙ軸方向）において隣り合うカラー画素Ｃａ21は、下段の画素列の画素Ｐ22，Ｐ24，Ｐ26となる。
また、カラー画素Ｃａ11と水平方向（Ｘ軸方向）において隣り合うカラー画素は、画素Ｐ18，Ｐ110，Ｐ112から構成されるカラー画素Ｃａ12となる。
ここで、解像度について考えてみると、Ｙ軸方向のカラー画素Ｃａ11，Ｃａ21，Ｃａ31…は、画素行ごとに連続している。これに対して、Ｘ軸方向のカラー画素Ｃａ11，Ｃａ12…は間延びしている。
具体的には、隣り合うカラー画素における緑色の画素間の距離で検証すると、Ｙ軸方向では画素Ｐ12の直下に画素Ｐ22があるのに対して、Ｘ軸方向では、画素Ｐ12と次の緑色画素Ｐ18との間に５画素分の間隔５pixが開いている。
【０００９】
つまり、垂直方向に比べて水平方向の解像度が低かった。換言すれば、従来の表示装置では、水平方向の解像度が劣化してしまうという課題があった。
また、特許文献１の技術を応用すると、前述した左右の２視点だけでなく多視点による指向性表示も可能であるが、視点数が増えて多視点になるほど、水平方向の解像度の劣化が顕著になってしまうという課題もあった。
【課題を解決するための手段】
【００１０】
本発明は、上記課題の少なくとも一部を解決するためになされたものであり、以下の適用例又は形態として実現することが可能である。
【００１１】
（適用例）
複数の画素が行列をなして配置された表示領域を有する液晶パネルと、複数の発光画素を有し、表示領域を背面から照明する面発光装置とを、備える表示パネルであって、行列における画素行の延在方向を第１方向とし、第１方向と交差する画素列の延在方向を第２方向としたときに、複数の発光画素の各々は、画素行における隣り合う２つの画素間ごとに跨って配置されるとともに、それぞれが選択的に点灯可能に設けられ、第２方向において、画素行ごとに画素一つ分ずつ第１方向にシフトした複数の発光画素からなる階段状の斜め発光画素列が、選択的に点灯されることによって指向性表示を行うことを特徴とする表示パネル。
【００１２】
まず、図１３における従来の表示パネルでは、Ｙ軸方向に一列に点灯するライン状光源によって指向性表示を行う構成であったため、指向性表示の１つの視点から観察される画素も、Ｙ軸方向に一列に並んでおり、Ｘ軸方向（水平方向）の解像度は、隣の画素列までの距離、つまり、ライン状光源間の距離のみに依存していた。
これに対して、適用例に係る表示パネルによれば、第２方向（Ｙ軸方向）において、画素行ごとに画素一つ分ずつ横方向にシフトした複数の発光画素からなる階段状の斜め発光画素列が、選択的に点灯される。
これにより、指向性表示の１つの視点から観察される画素もＹ軸方向に階段状となるため、画素行を跨ぐものの、Ｘ軸方向において従来技術よりも近い位置に画素が形成されることになる。つまり、従来技術よりも水平方向における画素密度を高めることができる。
従って、指向性表示における水平方向の解像度の劣化を抑制することが可能な表示パネルを提供することができる。
【００１３】
また、画素の各々には、赤、緑、青を含む複数の色調のうち、いずれか一つが割当てられ、画素行は、複数の色調が一定の順番で並べられた画素配列が、第１方向（Ｘ軸方向）に連続して形成されていることが好ましい。
また、斜め発光画素列を構成する複数の発光画素は、配線によって電気的に１つのセグメントとして接続されていることが好ましい。
【００１４】
上記記載の表示パネルと、供給される画像信号の種類に応じて、少なくとも面発光装置の点灯態様を切換える制御部とを、備え、制御部は、２次元画像信号が供給された場合には全ての発光画素を点灯させ、３次元画像信号が供給された場合には斜め発光画素列を一つ置きに点灯させ、多視点画像信号が供給された場合には斜め発光画素列を「多視点数−１」置きに点灯させることを特徴とする表示装置。
【００１５】
また、制御部は、３次元画像信号が供給された場合には、点灯選択された発光画素に対して２次元画像信号が供給された場合における駆動電圧の約２倍の電圧を印加し、多視点画像信号が供給された場合には、点灯選択された発光画素に対して２次元画像信号が供給された場合における駆動電圧の約「多視点数倍」の電圧を印加することが好ましい。
【００１６】
上記記載の表示装置を表示部として備えたことを特徴とする電子機器。
【発明を実施するための最良の形態】
【００１７】
以下、本発明の実施形態について、図面を参照して説明する。なお、以下の各図においては、各層や各部材を図面上で認識可能な程度の大きさとするため、各層や各部材毎に縮尺を異ならしめてある。
【００１８】
（実施形態１）
「表示装置の構成」
図１は、本実施形態に係る表示装置の概略構成図である。
まず、本発明の実施形態１に係る表示装置１００の概要構成について、図１を用いて説明する。
【００１９】
表示装置１００は、表示パネル６０、画像信号処理部７０、制御部７３、ＢＬ駆動部７６などから構成されている。
表示パネル６０は、液晶パネル５０、面発光装置としてのＢＬ１０などから構成されている。
液晶パネル５０は、複数の画素（図２）を備えたアクティブマトリックス型の透過式のカラー液晶パネルである。
ＢＬ１０は、有機ＥＬ（Electro Luminescence）素子を光源として用いたバックライトであり、複数の発光画素を備えている。なお、ＢＬ１０については、後で詳しく説明する。
【００２０】
画像信号処理部７０は、画像プロセッサであり、入力された画像データを液晶パネル５０にて表示するのに適切な画像信号に変換する。また、画像信号処理部７０は、画像信号検知部としても機能し、外部の画像信号供給装置８０から供給される画像信号の種類を検知し、該当する種類に応じて液晶パネル５０を表示駆動するとともに、検知した画像信号の種類を示す検知データを制御部７３に送信する。
画像信号供給装置８０は、平面画像を表す２次元画像信号や、または立体画像を表す３次元画像信号などの画像信号を供給する装置であり、例えば、ハードディスクや、不揮発性メモリなどの記憶媒体から構成される。または、外部のＤＶＤ（Digital Versatile Disk）再生機や、チューナなどの画像信号供給装置（いずれも図示せず）からの画像信号を、有線または無線で受信するインターフェース部であっても良い。
なお、画像信号供給装置８０が供給する画像信号には、３つ以上の視点（多視点）において異なる画像を表す多視点画像信号も含まれる。
【００２１】
制御部７３は、ＣＰＵ（Central Processing Unit）であり、各部の動作を制御する。また、制御部７３には、記憶部７４と、操作部７５とが附属している。
記憶部７４は、例えば、フラッシュメモリなどの不揮発性のメモリにより構成されている。記憶部７４には、画像信号処理部７０からの検知データに基づいて、ＢＬ１０の点灯態様を切換えるための順序と内容を規定したプログラムを含み、表示装置１００の動作を制御するための様々なプログラムおよび付随するデータが記憶されている。
また、当該データには、２次元画像信号、または３次元画像信号、若しくは多視点画像信号が供給された場合における、それぞれのＢＬ１０の駆動電圧データを規定したデータテーブルも含まれている。
操作部７５は、表示装置１００を操作するための複数の操作ボタン（図示せず）を備えている。複数の操作ボタンには、２次元表示、３次元表示、および多視点表示を切換える表示モード選択ボタンも含まれている。
【００２２】
ＢＬ駆動部７６は、ＢＬ１０における発光画素の点灯および消灯を行う駆動回路であり、制御部７３からの制御信号に応じて、複数の発光画素を選択的に点灯または消灯させる。
なお、上記各部には、例えば、リチウムイオン電池などの二次電池や、安定化電源などから構成された電源部からの出力配線（いずれも図示せず）が接続されており、安定した直流電力が供給されている。
【００２３】
「表示パネルの構成」
図２（ａ）は、表示パネル６０の側断面図である。図２（ｂ）は、（ａ）におけるｑ部の分拡大図である。図３は、液晶パネルにおける表示領域の平面図である。
続いて、図２、および図３を用いて、表示パネル６０を構成する液晶パネル５０およびＢＬ１０の具体的な構造について説明する。
【００２４】
液晶パネル５０は、素子基板４１、対向基板４２、シール材４３、液晶４４などから構成されている。
液晶パネル５０は、対向する素子基板４１と対向基板４２との間に、例えば、ＴＮ型の液晶４４を挟持した透過型の液晶パネルである。液晶４４は、シール材４３によって囲まれた表示領域を含む領域に封入されている。なお、液晶４４は、ＶＡ（Vertical Alignment）型、ＩＰＳ（In Plane Switching）型、ＦＦＳ（Fringe Field Switching）型であっても良い。
また、素子基板４１の背面側には偏光板４７が設けられ、対向基板４２の表面側には偏光板４８が設けられている。偏光板４７，４８は、吸収型偏光板であり、それぞれの透過偏光軸が略直交するように配置されている。なお、液晶パネル５０（表示パネル６０）における表示面とは、偏光板４８の表面を指す。
【００２５】
素子基板４１の液晶４４側には、画素電極領域４５が形成されている。画素電極領域４５には、複数の画素ごとに画素電極が形成されている。また、画素電極領域４５の下層には、素子層が設けられており、素子層には、画素電極を表示駆動するための薄膜トランジスタ（いずれも図示せず）が、画素電極ごとに対応して形成されている。
なお、図示は省略しているが、液晶パネル５０は、平面的に対向基板４２から素子基板４１の一辺が突出した張出し部を備えており、張出し部には、画像信号処理部７０から供給される画像信号に基づき、液晶パネル５０を走査表示駆動するための走査線駆動回路や、データ線駆動回路が形成されている。
また、対向基板４２の液晶４４側には、カラーフィルタ領域４６、および共通電極（図示せず）が形成されている。カラーフィルタ領域４６には、複数の画素ごとに画素電極と平面的に重なるように、ＲＧＢ各色用のカラーフィルタが形成されている。
【００２６】
図３は、液晶パネル５０における表示領域の平面図である。
液晶パネル５０の表示領域は、ｍ行ｎ列に配列された複数の画素Ｐ11〜Ｐmnを含んで構成されている。また、当該行列における画素行の延在方向を第１方向（Ｘ軸方向）とし、第１方向と交差する画素列の延在方向を第２方向（Ｙ軸方向）としている。なお、好適には、Ｘ軸およびＹ軸方向は直交している。
画素Ｐ11は、図３の紙面に向かって最上段の画素行における最も左側に位置し、基準となる画素（以降、「基準画素」ともいう）である。当該画素からＸ軸（＋）方向には、画素Ｐ11〜Ｐ1nまでの画素行（以降、「画素行Ｐ11」ともいう）が形成されている。
また、画素Ｐ11は赤色の画素Ｒ、画素Ｐ12は緑色の画素Ｇ、画素Ｐ13は青色の画素Ｂというように、カラーフィルタ領域４６（図２）において各色のカラーフィルタが形成されている。これにより、画素行において３つの画素ごとにＲＧＢの色画素が繰り返し配置されている。
また、画素Ｐ11からＹ軸（−）方向には、画素Ｐ11〜Ｐm1までの画素列（以降、「画素列Ｐ11」ともいう）が形成されている。同様に、各画素Ｐ12〜Ｐ1nにおいても、Ｙ軸（−）方向に、それぞれの画素列が形成されている。
各画素列Ｐ11〜Ｐ1nの色調は、最上段の画素行Ｐ11における対応する画素の色調と同一になっている。
【００２７】
図２（ａ）に戻る。
ＢＬ１０は、基板１、平面発光部８などから構成されており、液晶パネル５０の背面に密着して配置されている。
図２（ｂ）は、図２（ａ）におけるｑ部の分拡大図である。
基板１上には、反射層２、絶縁層３、ＢＬ画素電極４、有機機能層５、共通電極６、第１封止層７、第２封止層９が、この順番で積層されている。また、ＢＬ画素電極４が形成されている層のことを、ＢＬ電極層４ともいう。
平面発光部８は、このうち、反射層２から共通電極６までの積層部分を示している。また、平面発光部８において平面的にＢＬ画素電極４と重なる部分を発光画素Ｌとしている。
【００２８】
発光画素Ｌの有機機能層５で発した光のうち、シリコン窒化膜、またはシリコン酸化膜からなる第１封止層７側へ向かう光は、透明な当該層、および透明な樹脂からなる第２封止層９を通過して、液晶パネル５０に入射する。また、有機機能層５で発した光のうち、基板１側へ向かう光は、ＩＴＯ（Indium Tin Oxide）などの透明電極からなるＢＬ画素電極４、および透明な絶縁層３を透過した後、金属薄膜からなる反射層２で反射され、再度、各層を透過した後、液晶パネル５０に入射する。
つまり、ＢＬ１０は、ＢＬ画素電極４と共通電極６との間に電圧を印加することにより、第２封止層９側から光を出射するトップエミッション型の有機ＥＬ（Electro Luminescence）光源装置である。
【００２９】
また、反射層２は、ＢＬ画素電極４と同様に、平面的には発光画素Ｌごとに分割されている。具体的には、平面的にＢＬ画素電極４と同様な大きさに形成されている。
詳細は後述するが、反射層２は、配線層としての機能も果たしており、所定のＢＬ画素電極４間を電気的に接続するのに用いられている。
例えば、２つのＢＬ画素電極４Ａ，４Ｂを反射層２において接続する場合、各ＢＬ画素電極と、対応する下層の反射層２との間を、絶縁層３にコンタクトホール（スルホール）を設けて、それぞれ電気的に接続する。さらに、反射層２において、ＢＬ画素電極４Ａ，４Ｂに対応する反射層２間を繋ぐ配線を形成する。
また、ＢＬ電極層４も、配線層として機能する。例えば、隣り合う２つのＢＬ画素電極４が、同時に点灯駆動される画素電極であった場合、それらを繋ぐ配線をＩＴＯで形成しておけば、２つのＢＬ画素電極を電気的に１つの画素電極として扱うことができる。
【００３０】
なお、図２（ｂ）においては、簡略化のため有機機能層５を１層で示しているが、実際は、複数層から形成されている。具体的には、例えば、トリアリールアミン（ＡＴＰ）多量体からなる正孔注入層と、ＴＰＤ（トリフェニルジアミン）系材料からなる正孔輸送層と、アントラセン系ドーパントやルブレン系ドーパントを含むスチリルアミン系材料（ホスト）からなる発光層と、アルミニウムキノリノール（Ａｌｑ３）からなる電子注入層とを、この順に積層した積層体となっている。また、電子注入層上に、ＬｉＦからなる電子注入バッファ層がさらに形成されることもある。
【００３１】
「ＢＬの発光画素レイアウト、および配線態様」
図４（ａ）は、ＢＬの平面的な発光画素配置を示す図であり、図４（ｂ）はＢＬの発光画素の配線態様を示す図である。
まず、発光画素のレイアウトについて、図４（ａ）を用いて説明する。
図４（ａ）において、発光画素Ｌ（図２）は、３次元表示および多視点表示のときに選択的に点灯される発光画素Ｌａと、２次元画像を表示するときに点灯される発光画素Ｌｂとの２種類から構成されている。
なお、図４において、発光画素Ｌｂには模様を付けてあるが、これは、図面を見易くするためであり、他意はない。
【００３２】
ＢＬ１０における複数の発光画素Ｌａ，Ｌｂの各々は、画素行における隣り合う２つの画素間ごとに跨って配置されている。
具体的には、Ｘ軸（＋）方向（横方向）に隣り合う２つの画素、例えば、「画素Ｐ11，Ｐ12」の画素間を跨ぐように発光画素Ｌａ11が配置されている。また、その隣には「画素Ｐ12，Ｐ13」の画素間を跨ぐように発光画素Ｌｂが配置されている。そして、その隣の「画素Ｐ13，Ｐ14」間には発光画素Ｌａ12が、その隣の「画素Ｐ14，Ｐ15」間には発光画素Ｌｂが配置されるというように、隣り合う２つの画素間ごとに跨って発光画素Ｌａと発光画素Ｌｂとが、この順番で繰り返し配置されている。
また、Ｙ軸（−）方向に延在する画素列方向（縦方向）においては、例えば、発光画素Ｌａ11の下段には発光画素Ｌｂが配置され、当該発光画素Ｌｂの下段には発光画素Ｌａ31が配置されている。つまり、縦方向において発光画素Ｌａと発光画素Ｌｂとが、この順番で繰り返し配置されている。
【００３３】
また、各画素行においても、隣り合う２つの画素間ごとに跨って発光画素Ｌａと発光画素Ｌｂとが、重複しないように、この順番で繰り返し配置されている。
つまり、発光画素Ｌａは縦方向に連続する画素行ごとに画素一つ分ずつ横方向にシフトした位置に配置されている。例えば、発光画素Ｌａ11から１画素分横（Ｘ軸（＋））にシフトした発光画素Ｌｂの下段には発光画素Ｌａ22が配置されている。
換言すれば、発光画素Ｌａは市松模様（チェック状）をなすように配置されている。
【００３４】
続いて、発光画素の配線態様について図４（ｂ）および図２（ｂ）を用いて説明する。
上述した通り、発光画素Ｌａ、および発光画素Ｌｂは、２次元画像、３次元画像などの画像モードに応じて選択的に点灯および消灯される。
つまり、電気的には、２種類の発光画素Ｌａ，Ｌｂにおいて、それぞれ同期して点灯および消灯される発光画素同士を電気的に接続して、複数のセグメント電極として構成することができる。
【００３５】
まず、発光画素Ｌａについては、例えば、発光画素Ｌａ11，Ｌａ22，Ｌａ32…のように画素行ごとに１画素ずつ水平方向にシフトして配置された斜めの発光画素列（以降、「斜め発光画素列Ｌａ11」という）ごとに、各発光画素のＢＬ画素電極４（図２）間を配線ｈａによって接続し、１つのセグメント電極とする。
なお、斜め発光画素列は、画素行Ｐ11の発光画素を最上段とする画素列ばかりでなく、発光画素Ｌａ21を最上段とする斜め発光画素列Ｐ21や、発光画素Ｌａ41を最上段とする斜め発光画素列Ｌａ41などの、斜め発光画素列Ｌａ11と略平行に配置される斜め発光画素列を含む。
つまり、発光画素Ｌａは、斜め発光画素列単位で１つのセグメント電極として構成されるため、斜め発光画素列ごとに選択的に点灯および消灯を行うことができる。
【００３６】
次に、発光画素Ｌｂについても、発光画素Ｌａと同様に、画素行ごとに１画素ずつ水平方向にシフトして配置された斜めの発光画素列ごとに、各発光画素のＢＬ画素電極４間を配線ｈｂによって接続し、１つのセグメント電極とする。
また、斜め発光画素列Ｌｂについては、発光画素領域の外で、全ての斜め発光画素列Ｌｂからの配線ｈｂを配線ｈｃによって１つにまとめて１つのセグメント電極としている。換言すれば、全ての発光画素Ｌｂは、電気的に１つの発光画素として扱われる。
また、各ＢＬ画素電極間を接続する配線ｈａ，ｈｂは、例えば、０．１ｍｍ程度の配線幅によって形成できるため、視覚的に認識できないレベルである。また、液晶パネルには各画素を区画する格子状の遮光層であるブラックマトリックス（図示せず）が形成されており、当該配線は、平面的にブラックマトリックスと重なるため、殆ど目立たなくなる。
また、上記においては、図２（ｂ）のＢＬ電極層４において配線ｈａ、ｈｂを配線したが、反射層２も配線層として活用しても良い。この場合、ＢＬ画素電極４からコンタクトホール（スルホール）によって自らの反射層２と導通を取り、反射層に配線を形成する。
【００３７】
「２次元画像表示における発光画素の点灯態様」
このようにレイアウトされた複数の発光画素Ｌａ，Ｌｂの各表示モードにおける点灯態様について説明する。
まず、２次元画像を表示する場合について説明する。
２次元画像を表示する場合、全ての発光画素が点灯される。具体的には、２種類の発光画素Ｌａ，Ｌｂの全てが同時に点灯される。この時、各発光画素には、「ｕ」Ｖの駆動電圧が印加される。
なお、これらの動作や処理は、制御部７３（図１）が操作部７５への操作、または画像信号処理部７０からの検知データが示す画像信号の種類に応じて、記憶部７４の関連プログラム、およびデータに基づき各部を制御することにより行われる。
また、以下説明する３次元表示や、多視点表示における動作や処理も、制御部７３が検知データによる画像信号の種類、または操作部７５への操作をトリガとして、記憶部７４の関連プログラム、およびデータに基づき各部を制御することにより行われる。
【００３８】
「３次元表示における発光画素の点灯態様」
図５は３次元表示における発光画素の点灯態様を示す図である。
続いて、３次元表示におけるＢＬ１０の点灯態様について、図５を用いて説明する。なお、ここでの３次元表示とは、表示面に対して向かって右側の視点が右目に、左側の視点が左目に相当する立体表示を指しているが、右側、左側それぞれで異なる画像を観察する２視点表示の場合においても適用することができる。
３次元表示の場合、斜め発光画素列の全てが選択的に点灯され、全ての発光画素Ｌａが点灯される。なお、このとき、発光画素Ｌｂは消灯している。
【００３９】
ここでは、二つの発光画素Ｌａ11,Ｌａ22を例にして説明する。なお、図５においては、発光画素が出射する光の進行方向の説明を容易にするために、ＢＬ１０と液晶パネル５０とを平面的に上下分離して描いている。
発光画素Ｌａ11から出射された光ＦR1は、画素Ｐ12を透過して、液晶パネル５０に向かって右側の右視点から観察される。また、発光画素Ｌａ11から出射された光ＦL1は、画素Ｐ11を透過して、液晶パネル５０に向かって左側の左視点から観察される。
同様に、発光画素Ｌａ22から出射された光ＦR2は、画素Ｐ23を透過して、右視点から観察される。また、発光画素Ｌａ22から出射された光ＦL2は、画素Ｐ22を透過して、左視点から観察される。
また、このとき、図５に示されるように、ＢＬ１０の点灯態様は、複数の発光画素Ｌａが市松模様、換言すれば、チェック状に観察される。
【００４０】
ここで、液晶パネル５０には３次元画像信号が供給されており、画素Ｐ11,Ｐ22には左目用の画像データが書き込まれ、画素Ｐ12,Ｐ23には右目用の画像データが書き込まれている。
より詳しくは、図３において、画素列Ｐ11における奇数行の画素Ｐ11，Ｐ31，Ｐ51…には左目用の画像データが書き込まれ、偶数行の画素Ｐ21，Ｐ41，Ｐ61…には右目用の画像データが書き込まれる。つまり、画素列Ｐ11においては、最上段の画素Ｐ11からＹ軸（−）方向に、「左、右」の画像データがこの順番で繰り返し書き込まれる。
また、各画素行におけるＸ軸方向に隣り合う画素には「左、右」の画像データが、同じ方向の画像データが連続しないように、この順番で繰り返し書き込まれる。
また、３次元表示において、各発光画素列Ｌａ11，Ｌａ12，Ｌａ13…には、２次元画像表示における駆動電圧の２倍の駆動電圧「２ｕ」Ｖが印加される。
【００４１】
図６（ａ）は、３次元表示における右視点から観察した画素態様を示す図であり、図６（ｂ）は左視点から観察した画素態様を示す図である。また、同図において、画素内に附された「右」「左」の文字は、右視点または左視点から観察される画素であることを示している。また、図６（ａ）は、右視点から観察される画素を白抜きで示しており、従来技術で説明した図１３との比較図となっている。
本実施形態に係る表示パネル６０によれば、従来技術と同様に画素行に沿った第１のカラー画素に加えて、画素行を跨いだ第２のカラー画素が形成される。
具体的には、第１のカラー画素Ｃａ11は、画素Ｐ12，Ｐ14，Ｐ16から構成される。また、カラー画素Ｃａ11の水平方向における隣には画素Ｐ18，Ｐ110，Ｐ112からなる第１のカラー画素Ｃａ12が形成され、同様に連続して第１のカラー画素Ｃａ12，Ｃａ13，Ｃａ14…が形成される。
また、画素行Ｐ21においても、カラー画素Ｃａ11から水平方向に１画素分シフトした第１のカラー画素Ｃａ21（画素Ｐ21，Ｐ23，Ｐ25）が形成されている。また、当該カラー画素に連続してカラー画素Ｃａ22（画素Ｐ27，Ｐ29，Ｐ211）、Ｃａ23…が形成されている。
【００４２】
第２のカラー画素は、連続する２つの画素行を跨いで形成される。例えば、第２のカラー画素Ｃｂ11は、画素行Ｐ11，Ｐ21を跨いで画素Ｐ12，Ｐ21，Ｐ23から構成される。また、その水平方向の隣には、画素Ｐ14，Ｐ16，Ｐ25からなる第２のカラー画素Ｃｂ12が形成されている。同様に当該カラー画素Ｃｂ12に連続して第２のカラー画素Ｃｂ13（画素Ｐ18，Ｐ27，Ｐ29）、Ｃｂ14…が形成されている。
ここで、解像度について考えてみる。
まず、垂直方向の解像度について、第１のカラー画素では、第１のカラー画素Ｃａ11，Ｃａ21，Ｃａ31…の垂直方向の解像度は、画素行ごとに連続している。
【００４３】
次に、水平方向の解像度について、第１のカラー画素Ｃａ11，Ｃａ12…では、図１３に示した従来技術と同様に間延びしているが、第２のカラー画素Ｃｂ11，Ｃｂ12…によれば、水平方向に連続している。
具体的には、隣り合う第２のカラー画素における緑色の画素間の距離で検証すると、緑色の画素Ｐ12の次に現れる緑色の画素は、下段の画素行の画素Ｐ25となり、水平方向における当該画素間は、２画素分の間隔２pixとなる。
【００４４】
また、図６（ｂ）に示すように、左視点から観察される画素においても右視点のときと同様に、第１のカラー画素に加えて、第２のカラー画素が形成される。
具体的には、画素行Ｐ11における第１のカラー画素としては、例えば、画素Ｐ11，Ｐ13，Ｐ15からなる第１のカラー画素Ｃａ111、その隣には、画素Ｐ17，Ｐ19，Ｐ111からなる第１のカラー画素Ｃａ112というように、以降、第１のカラー画素Ｃａ113，Ｃａ114…が連続して形成される。
また、画素行Ｐ11，Ｐ21を跨ぐ第２のカラー画素は、画素Ｐ11，Ｐ13，Ｐ22からなる第２のカラー画素Ｃｂ111、その隣には、画素Ｐ15，Ｐ24，Ｐ26からなる第２のカラー画素Ｃｂ112というように、以降、第２のカラー画素Ｃｂ113，Ｃｂ114…が連続して形成される。
また、解像度についても右視点の場合と同様であり、垂直方向の解像度については、第１のカラー画素Ｃａ111，Ｃａ121，Ｃａ131…が画素行ごとに連続している。水平方向の解像度については、第２のカラー画素Ｃｂ111，Ｃｂ112…が水平方向に連続している。
【００４５】
「多視点表示における発光画素の点灯態様」
図７は多視点表示における発光画素の点灯態様を示す図である。
続いて、多視点表示におけるＢＬ１０の点灯態様について、図７を用いて説明する。なお、ここでの多視点画像とは、４視点以上の多視点を指しており、より詳しくは、４，６，８…などの偶数多視点のことをいう。
また、本実施形態では、多視点画像の一例として、４視点表示の場合について、説明する。
また、４視点表示の場合、斜め発光画素列が１つ置きに選択的に点灯される。具体的には、斜め発光画素列Ｌａ11，Ｌａ13，Ｌａ15…が選択的に点灯され、斜め発光画素列Ｌａ12，Ｌａ14，Ｌａ16…は消灯される。なお、このとき、発光画素Ｌｂは消灯している。
また、４視点表示においては、各斜め発光画素列Ｌａ11，Ｌａ13，Ｌａ15…には、２次元画像表示における駆動電圧の４倍の駆動電圧「４ｕ」Ｖが印加される。
【００４６】
ここでは、斜め発光画素列Ｌａ11における二つの発光画素Ｌａ11，Ｌａ22を例にして説明する。なお、図７においては、光の進行方向の説明を容易にするために、ＢＬ１０と液晶パネル５０とを平面的に上下分離して描いている。
発光画素Ｌａ11から出射された光Ｆ01は、画素Ｐ11を透過して、液晶パネル５０に向かって最も左側の視点（視点１）から観察される。
また、同様に光Ｆ02は画素Ｐ12を透過して視点１の右側の視点２から観察され、光Ｆ03は画素Ｐ13を透過して視点２の右側の視点３から観察される。
そして、発光画素Ｌａ11から出射された光Ｆ04は、画素Ｐ14を透過して、液晶パネル５０に向かって最も右側の視点（視点４）から観察される。
つまり、液晶パネル５０に向かって左側から視点１、視点２、視点３、視点４という４つの視点が形成されている。
【００４７】
同様に、発光画素Ｌａ22から出射された光Ｆ11〜Ｆ14は、それぞれ画素Ｐ22〜Ｐ25を透過して、視点１〜視点４において観察される。
ここで、液晶パネル５０には多視点画像信号が供給されており、画素Ｐ11，Ｐ22には第１画像データが書き込まれ、画素Ｐ12，Ｐ23には第２画像データが書き込まれている。また、同様に、画素Ｐ13，Ｐ24には第３画像データが書き込まれ、画素Ｐ14，Ｐ25には第４画像データが書き込まれている。
ここで、第１〜４画像データは、それぞれが異なる画像を表す画像データであっても良い。または、例えば、多視点カメラによる山並などの立体的な景色を連続した３次元画像で撮像した多視点画像信号であっても良い。
この場合、例えば、観察者が液晶パネル５０の左側（視点１）から右側（視点４）に視点を徐々に移動することによって、立体的な山並の３次元画像を連続して鑑賞することができる。また、右側（視点４）から左側（視点１）に移動する場合も同様である。
【００４８】
図８（ａ）は、多視点表示における視点２から観察した画素態様を示す図である。図８（ｂ）は（ａ）の比較図であり、従来構成の多視点表示において視点２から観察した画素態様を示す図である。
また、同図において、画素内に附された「２」の文字は、視点２から観察される画素であることを示しており、当該画素を白抜きで示している。
本実施形態に係る表示パネル６０によれば、多視点表示においても画素行を跨いだ第２のカラー画素が形成されるため、従来技術を応用した多視点表示に比べて、水平解像度を向上させることができる。
【００４９】
まず、図８（ｂ）を用いて、比較例としての従来技術の応用による多視点表示の態様について説明する。
図１３で説明した３次元表示を行う従来技術においては、ライン状の光源（図示せず）は、隣り合う２つの画素ごとに、当該２つの画素列間を跨ぐように配置されていた。つまり、連続する４つの画素において、２本のライン状の光源が配置されていたが、これを１本とすることによって４視点の多視点表示を行うことが可能であった。
具体的には、画素列Ｐ11，Ｐ12間に１本目のライン状光源を配置し、次は画素列Ｐ15，Ｐ16との間に１本、という間合いで、ライン状光源を配置すれば良い。
この構成の場合、図８（ｂ）に示すように、カラー画素は、ＧＲＢ色の画素Ｐ12，Ｐ16，Ｐ110からなる第１のカラー画素Ｃａ11、その隣の第１のカラー画素Ｃａ12というように画素行Ｐ11に沿った第１のカラー画素のみが形成される。
【００５０】
ここで、解像度について考えてみる。
まず、垂直方向の解像度については、第１のカラー画素Ｃａ11，Ｃａ21，Ｃａ31…というように、画素行ごとに連続している。
次に、水平方向の解像度については、第１のカラー画素Ｃａ11，Ｃａ12…では、水平方向に大きく間延びしている。これを隣り合う第１のカラー画素における緑色の画素間の距離で検証すると、緑色の画素Ｐ12の次に現れる緑色の画素は、画素Ｐ114となり、水平方向における当該画素間は、１１画素分の間隔１１pixであった。これは、図１３で説明した３次元表示における同様な画素間の間隔５pixの倍以上である。
つまり、従来技術を応用した多視点表示では、３次元表示を行う場合よりも、水平解像度が劣化してしまう。また、垂直解像度と水平解像度とのバランスが一層悪くなってしまっていた。
【００５１】
次に、図８（ａ）を用いて、本実施形態における多視点表示の態様について説明する。
本実施形態に係る表示パネル６０によれば、多視点表示においても、第１のカラー画素に加えて、画素行を跨いだ第２のカラー画素が形成される。
第２のカラー画素は、連続する３つの画素行を跨いで形成される。例えば、第２のカラー画素Ｃｂ11は、画素行Ｐ11，Ｐ21，Ｐ31を跨いで画素Ｐ12，Ｐ23，Ｐ34から構成される。また、その水平方向の隣には、画素Ｐ16，Ｐ27，Ｐ38からなる第２のカラー画素Ｃｂ12が形成されている。同様に当該カラー画素Ｃｂ12に連続して第２のカラー画素Ｃｂ13（画素Ｐ110，Ｐ211，Ｐ312）、Ｃｂ14…が形成されている。
また、第１のカラー画素については、画素行ごとに水平方向に１画素分ずつシフトして配置される以外は、図８（ｂ）で説明した画素配置と同様である。
【００５２】
ここで、解像度について考えてみる。
まず、垂直方向の解像度について、第１のカラー画素では、第１のカラー画素Ｃａ11，Ｃａ21，Ｃａ31…の垂直方向の解像度は、図８（ｂ）の比較例と同様に、画素行ごとに連続している。
次に、水平方向の解像度について、第１のカラー画素Ｃａ11，Ｃａ12…では、図８（ｂ）の比較例と同様に間延びしているが、第２のカラー画素Ｃｂ11，Ｃｂ12…によれば、水平方向に略連続している。
具体的には、隣り合う第２のカラー画素Ｃｂ11，Ｃｂ12における緑色の画素間の距離で検証すると、緑色の画素Ｐ12の次に現れる緑色の画素は、２段下の画素行の画素Ｐ38となり、水平方向における当該画素間は、５画素分の間隔５pixとなる。間隔５pixであっても、図８（ｂ）の比較例の間隔１１pixと比べると、半分以下であり、水平方向において比較例の２倍以上の解像度を実現することができる。
【００５３】
さらに、緑色だけでなく、青色画素に着目すると、青色画素Ｐ23の次に現れる青色画素は１段上の画素行の画素Ｐ16となり、水平方向における当該画素間は、間隔２pixとなる。同様に、赤色画素Ｐ34，Ｐ27の水平方向における当該画素間も、間隔２pixである。
また、同様に、第２のカラー画素Ｃｂ12，Ｃｂ13における緑色画素Ｐ38，Ｐ211、および赤色画素Ｐ27，Ｐ110の水平方向における間隔は２pixである。他方、青色画素Ｐ16，Ｐ312の間隔は５pixである。
つまり、隣り合う第２のカラー画素間において、最上段の色画素と、隣のカラー画素における最下段の色画素との色調が同じ場合、当該色画素間の間隔が５pixとなるが、それ以外の基準間隔は、２pixである。よって、実質的な水平方向の解像度はさらに高い。
【００５４】
なお、上記説明においては、４視点表示の視点２におけるカラー画素の形成態様について説明したが、他の各視点においても、同様のカラー画素が形成される。
具体的には、他の各視点においても、カラー画素の配置が水平方向にシフトすること以外は、同様に第１のカラー画素と第２のカラー画素とが形成され、視点２による解像度と同様な解像度を得ることができる。
また、上記説明においては、４視点表示の場合について説明したが、例えば、６，８視点などの偶数視点の場合であっても、４視点表示の場合と同様に、水平解像度を高めることができる。例えば、６視点表示の場合は、図５における斜め発光画素列を２つ置きに選択的に点灯すれば良い。同様に、８視点表示の場合は、斜め発光画素列を３つ置きに選択的に点灯すれば良い。
【００５５】
これらの多視点表示においても、画素行を跨いだ第２のカラー画素が形成されるため、水平解像度を高めることができる。
また、６視点表示の場合、点灯選択された各斜め発光画素列には、２次元画像表示における駆動電圧の６倍の駆動電圧「６ｕ」Ｖが印加され、８視点表示の場合は、８倍の駆動電圧「８ｕ」Ｖが印加される。
つまり、多視点表示において点灯選択された各斜め発光画素列には、２次元画像表示における駆動電圧の視点数倍の駆動電圧が印加される。
【００５６】
上述した通り、本実施形態に係る表示パネル６０、および表示装置１００によれば、以下の効果を得ることができる。
表示パネル６０によれば、３次元表示を含む多視点表示を行う場合、垂直方向において画素行ごとに画素一つ分ずつ横方向にシフトした複数の発光画素Ｌａからなる階段状の斜め発光画素列が、選択的に点灯される。
これにより、指向性表示の１つの視点から観察される画素も縦方向に階段状となるため、画素行を跨ぐものの、横方向において従来技術よりも近い位置に画素が形成されることになる。つまり、指向性表示において、従来技術よりも水平方向における画素密度を高めることができる。
換言すれば、図６および図８（ａ）で説明した通り、画素行に沿った第１のカラー画素Ｃａに加えて、画素行を跨いだ第２のカラー画素Ｃｂが形成されるため、従来技術に比べて水平方向の解像度を高めることができる。
従って、指向性表示において水平方向の解像度の劣化を抑制することが可能な表示パネルを提供することができる。また、垂直方向と、水平方向の解像度差を低減することができる。
【００５７】
制御部７３は、２次元画像信号が供給された場合には全ての発光画素を点灯させ、３次元画像信号が供給された場合には発光画素Ｌａを選択的に点灯させることにより、２次元表示および３次元表示を行う。
また、４視点表示の場合は斜め発光画素列Ｌａを１つ置きに、６視点表示の場合は斜め発光画素列Ｌａを２つ置きにというように点灯制御することにより、偶数の多視点画像信号による多視点表示を行う。
従って、表示パネル６０によれば、２次元表示、３次元表示に加えて、偶数の多視点表示を行うことができる。
【００５８】
表示パネル６０は、有機ＥＬ光源を備えたトップエミッション型のＢＬ１０を備えている。ＢＬ１０における平面発光部８の上層には、第１封止層７と第２封止層９との薄い封止層が２層積層されているのみであり、発光部から、液晶パネル５０までの距離を短くすることができる。
特に、指向性表示を行う場合、視差バリアの機能を担うＢＬ１０と、液晶パネル５０との距離を短くすることにより、視点のそれぞれにおいて当該視点側の画像のみを観察できる視野角（適視範囲）を広くすることができる。
【００５９】
ＢＬ１０に配置されている２種類の発光画素Ｌａ，Ｌｂは、それぞれが配線ｈａ，ｈｂによって斜め発光画素列単位のセグメントとして構成されている。さらに、発光画素Ｌｂについては、複数の斜め発光画素列が発光画素領域外で配線ｈｃによって１つのセグメントとなっている。
よって、ＢＬ１０の構成をシンプルにすることができる。
また、制御部７３は、供給される画像信号の種類に応じて、電気的に上記セグメント単位で発光画素の点灯および消灯の制御を行えば良い。
従って、表示装置１００によれば、複雑な制御を必要とせずに、簡便な制御方法によってＢＬ１０の点灯制御を行うことができる。
【００６０】
また、制御部７３は、３次元画像信号が供給された場合には、点灯選択された発光画素に対して２次元画像信号が供給された場合における駆動電圧の約２倍の電圧を印加する。同様に、多視点画像信号が供給された場合には、点灯選択された発光画素に対して２次元画像信号が供給された場合における駆動電圧の約「多視点数倍」の電圧を印加する。
従って、表示装置１００によれば、３次元表示および多視点表示のいずれの表示においても、２次元画像表示の場合と略同等の表示輝度の画像を提供することができる。
【００６１】
（実施形態２）
図９（ａ）は、実施形態２に係るＢＬの平面的な発光画素配置を示す図であり、図９（ｂ）はその配線態様を示す図である。なお、図９は、実施形態１の図４に対応している。
以下、本発明の実施形態２に係る表示装置について説明する。
本実施形態における表示装置１００（図１）は、実施形態１のＢＬ１０とは異なる発光画素レイアウトを持つＢＬ２０を備えている。なお、図１においては、ＢＬ１０をＢＬ２０と読み換えるものとする。
ここでは、実施形態１における説明と重複する部分は省略し、ＢＬ２０の構成を中心に説明する。また、同一の構成部位については同一の番号を附して説明する。
【００６２】
「ＢＬの発光画素レイアウト、および配線態様」
本実施形態の表示装置１００は、多視点表示において、偶数視点に加えて奇数視点も可能なＢＬ２０を搭載した表示装置である。
実施形態１のＢＬ１０（図４）では、発光画素Ｌａ，Ｌｂの２種類の発光画素があったが、本実施形態のＢＬ２０における発光画素は発光画素Ｌの１種類のみである。
発光画素Ｌは、画素行において隣り合う２つの画素間ごとに、当該画素間を跨いで形成されている。また、複数の発光画素Ｌは、マトリックス状に形成されている。
具体的には、画素行Ｐ11に沿って水平方向には、発光画素Ｌ11，Ｌ12，Ｌ13…が連続して配置されている。また、発光画素Ｌ11から垂直方向（Ｙ軸（−）方向）には、発光画素Ｌ11，Ｌ21，Ｌ31…が連続して配置されている。同様に、画素行Ｐ21に沿って発光画素Ｌ21，Ｌ22，Ｌ23…が連続して配置され、また、下段に続く各画素行においても、発光画素が連続して配置されている。
【００６３】
続いて、図９（ｂ）を用いて発光画素Ｌの配線態様について説明する。
発光画素Ｌは、例えば、発光画素Ｌ12，Ｌ23，Ｌ34…のように画素行ごとに１画素ずつ水平方向にシフトして配置された斜め発光画素列ごとに、各発光画素のＢＬ画素電極４（図２）間を配線ｈによって接続し、１つのセグメント電極として構成されている。
なお、図４における斜め発光画素列Ｌａ11は、図９における発光画素列Ｌ12に相当する。同様に、図４の斜め発光画素列Ｌａ12，Ｌａ13…は、図９における斜め発光画素列Ｌ14，Ｌ16…に相当する。
また、斜め発光画素列は、画素行Ｐ11の発光画素を最上段とする画素列ばかりでなく、発光画素Ｌ21を最上段とする斜め発光画素列Ｌ21や、発光画素Ｌ31を最上段とする斜め発光画素列Ｌ31などの、斜め発光画素列Ｌ11と略平行に配置される斜め発光画素列を含む。
つまり、発光画素Ｌは、斜め発光画素列単位で１つのセグメント電極として構成されるため、斜め発光画素列ごとに選択的に点灯および消灯を行うことができる。
【００６４】
このような構成を備えたＢＬ２０によれば、実施形態１のＢＬ１０と同様に２次元表示、３次元表示、および多視点表示を行うことができる。具体的には、２次元表示を行うためには図５の点灯態様、３次元表示を行うためには図７の点灯態様を、多視点表示を行うためには図８で説明した点灯態様を、それぞれ対応する斜め発光画素を選択的に点灯させれば良い。
また、多視点表示においては、実施形態１で説明した偶数視点表示に加えて、奇数視点表示も行うことができる。
【００６５】
図１０（ａ）は、多視点表示における視点２から観察した画素態様を示す図である。図１０（ｂ）は（ａ）の比較図であり、従来構成の多視点表示において視点２から観察した画素態様を示す図である。
続いて、多視点表示における奇数視点表示の一例として、５視点表示の態様について図１０を用いて説明する。
【００６６】
まず、図１０（ｂ）を用いて、比較例としての従来技術の応用による多視点表示の態様について説明する。
従来技術を応用して５視点表示を行うためには、画素列Ｐ11，Ｐ12間に１本目のライン状光源を配置し、次は画素列Ｐ16，Ｐ17との間に１本という間合いで、連続してライン状光源を配置すれば良い。
この構成の場合、図１０（ｂ）に示すように、カラー画素は、ＧＲＢ色の画素Ｐ12，Ｐ17，Ｐ112からなる第１のカラー画素Ｃａ11、その隣の第１のカラー画素Ｃａ12というように画素行Ｐ11に沿った第１のカラー画素のみが形成される。
【００６７】
ここで、解像度について考えてみる。
まず、垂直方向の解像度については、第１のカラー画素Ｃａ11，Ｃａ21，Ｃａ31…というように、画素行ごとに連続している。
次に、水平方向の解像度については、第１のカラー画素Ｃａ11，Ｃａ12…では、水平方向に大きく間延びしている。これを隣り合う第１のカラー画素における緑色の画素間の距離で検証すると、緑色の画素Ｐ12の次に現れる緑色の画素は、画素Ｐ117となり、水平方向における当該画素間は、１４画素分の間隔１４pixであった。
つまり、垂直解像度と水平解像度とのバランスが悪くなってしまっていた。
【００６８】
次に、図１０（ａ）を用いて、本実施形態における多視点表示の態様について説明する。本実施形態に係る表示パネル６０によれば、奇数視点表示においても、第１のカラー画素に加えて、画素行を跨いだ第２のカラー画素が形成される。
５視点表示においては、図９における斜め発光画素列Ｌ12，Ｌ17，Ｌ112…、換言すれば、斜め発光画素列Ｌ12を基準として４つ置きの斜め発光画素列が選択的に点灯される。また、各斜め発光画素列には、２次元画像表示における駆動電圧の５倍の駆動電圧「５ｕ」Ｖが印加される。
第２のカラー画素は、連続する３つの画素行を跨いで形成される。例えば、第２のカラー画素Ｃｂ11は、画素行Ｐ11，Ｐ21，Ｐ31を跨いで画素Ｐ12，Ｐ23，Ｐ34から構成される。また、その水平方向の隣には、画素Ｐ17，Ｐ28，Ｐ39からなる第２のカラー画素Ｃｂ12が形成されている。同様に当該カラー画素Ｃｂ12に連続して第２のカラー画素Ｃｂ13（画素Ｐ112，Ｐ213，Ｐ314）、Ｃｂ14…が形成されている。
また、第１のカラー画素については、画素行ごとに水平方向に１画素分ずつシフトして配置される以外は、図１０（ｂ）で説明した画素配置と同様である。
【００６９】
ここで、解像度について考えてみる。
まず、垂直方向の解像度について、第１のカラー画素では、第１のカラー画素Ｃａ11，Ｃａ21，Ｃａ31…の垂直方向の解像度は、図１０（ｂ）の比較例と同様に、画素行ごとに連続している。
次に、水平方向の解像度について、第１のカラー画素Ｃａ11，Ｃａ12…では、図１０（ｂ）の比較例と同様に間延びしているが、第２のカラー画素Ｃｂ11，Ｃｂ12…によれば、水平方向に略連続している。
具体的には、隣り合う第２のカラー画素Ｃｂ11，Ｃｂ12における緑色の画素間の距離で検証すると、緑色の画素Ｐ12の次に現れる緑色の画素は、１段下の画素行の画素Ｐ28となり、水平方向における当該画素間は、５画素分の間隔５pixとなる。
これは、図１０（ｂ）の比較例の間隔１４pixと比べて、略１／３であり、水平方向において比較例の３倍程度の解像度を実現することができる。
【００７０】
なお、上記説明においては、５視点表示の視点２におけるカラー画素の形成態様について説明したが、他の各視点においても、同様のカラー画素が形成される。
具体的には、他の各視点においても、カラー画素の配置が水平方向にシフトすること以外は、同様に第１のカラー画素と第２のカラー画素とが形成され、視点２による解像度と同様な解像度を得ることができる。
また、上記説明においては、５視点表示の場合について説明したが、例えば、３，７，９視点などの奇数視点の場合であっても、５視点表示の場合と同様に、水平解像度を高めることができる。
例えば、３視点表示の場合は、図９における斜め発光画素列を２つ置きに選択的に点灯すれば良い。同様に、７視点表示の場合は、斜め発光画素列を６つ置きに選択的に点灯すれば良い。つまり、多視点画像信号が供給された場合には斜め発光画素列を「多視点数−１」置きに点灯させれば良い。
これらの多視点表示においても、画素行を跨いだ第２のカラー画素が形成されるため、水平解像度を高めることができる。
また、多視点表示において点灯選択された各斜め発光画素列には、２次元画像表示における駆動電圧の視点数倍の駆動電圧が印加される。
【００７１】
上述した通り、本実施形態によれば、実施形態１における効果に加えて、以下の効果を得ることができる。
ＢＬ２０の発光画素は、マトリックス状に配置された１種類の発光画素Ｌから構成されており、斜め発光画素列単位で点灯および消灯制御される。
このため、図５，７，８で説明した実施形態１における点灯態様を、それぞれ対応する斜め発光画素列を選択的に点灯させることにより実現することができる。
さらに、斜め発光画素列を「多視点数−１」置きに点灯させることにより、偶数視点に加えて、奇数視点の多視点表示も行うことができる。
従って、ＢＬ２０を搭載した表示パネル６０によれば、２次元表示、３次元表示に加えて、多視点表示を行うことができる。
【００７２】
複数の斜め発光画素列Ｌは、それぞれが配線ｈによって斜め発光画素列単位のセグメントとして構成されている。
よって、ＢＬ２０の構成をシンプルにすることができる。
また、制御部７３は、供給される画像信号の種類に応じて、電気的に上記セグメント単位で発光画素の点灯および消灯の制御を行えば良い。
従って、表示装置１００によれば、複雑な制御を必要とせずに、簡便な制御方法によってＢＬ２０の点灯制御を行うことができる。
【００７３】
（電子機器）
図１１は、各実施形態、および後述する変形例に係る表示装置１００を搭載した電子機器としての携帯電話を示す図である。
前記各実施形態、および変形例に係る表示装置１００は、例えば、電子機器としての携帯電話３００に搭載して用いることができる。
携帯電話３００は、本体部３５０と、当該本体部に対して開閉自在に設けられた表示部３７０とを備えるとともに、表示装置１００を内蔵している。
本体部３５０には、複数の操作ボタンを有する操作部３６５が設けられており、当該操作ボタンには、表示装置１００の操作部７５（図１）の機能も含まれている。また、表示部３７０には、前記各実施形態、および変形例に係る表示パネル６０が組み込まれている。
従って、携帯電話３００によれば、多視点表示における水平解像度の劣化を抑制することができる。また、垂直方向と、水平方向の解像度差を低減することができる。
【００７４】
また、携帯電話の態様は、図１１に示した折畳み式に限定するものではなく、矩形状の表示パネルを備えた携帯電話であれば良い。
例えば、本体部３５０に対して表示部３７０が折畳み、および旋回可能に設けられた携帯電話であっても良い。または、一体型の携帯電話や、一体型の本体部に操作部が収納されているスライド式の携帯電話であっても良い。
また、電子機器としては、携帯電話に限定するものではなく、矩形状の表示パネルを備えた電子機器であれば良い。
例えば、カーナビゲーションシステム用の表示装置や、ＰＤＡ（Personal Digital Assistants）、モバイルコンピュータ、デジタルカメラ、デジタルビデオカメラ、車載機器、オーディオ機器などの各種電子機器に用いることができる。
【００７５】
なお、本発明は上述した実施形態に限定されず、上述した実施形態に種々の変更や改良などを加えることが可能である。変形例を以下に述べる。
【００７６】
（変形例１）
図２、および図９を用いて説明する。
実施形態２において、ＢＬ２０の発光画素は、斜め発光画素列単位で１つのセグメントとして構成されていたが、それぞれ個別に点灯および消灯制御する構成であっても良い。
以下、前記実施形態における記載と重複する部分は省略して説明する。なお、同一の構成部位については、同一の番号を附して説明する。
変形例１のＢＬ２０では、発光画素Ｌごとに駆動用の薄膜トランジスタ（以降、「ＴＦＴ」という）が設けられており、１つの発光画素Ｌの単位で、点灯および消灯制御可能に設けられている。
具体的には、図２においてＢＬ電極層４の各ＢＬ画素電極４は、発光画素Ｌごとに独立して形成されている。また、絶縁層３には素子層が形成されており、当該素子層には、ＢＬ画素電極４ごとにＴＦＴが形成されており、そのドレイン電極がコンタクトホールを介して対応するＢＬ画素電極４に接続されている。なお、素子層は、基板１の上層に形成されていても良い。
【００７７】
この構成によれば、ＢＬ２０を１つの発光画素Ｌの単位で、点灯および消灯可能であるため、実施形態２における複数の表示態様に加えて、従来技術の表示態様も行うことができる。
具体的には、図８（ｂ）、図１０（ｂ）、および図１３で説明した従来技術に係る縦方向にストライプ状に点灯させることによって、３次元、および多視点表示を行う点灯態様も行うことができる。
従って、変形例１のＢＬ２０によれば、３次元、および多視点表示において、表示モードを選択することができる。
換言すれば、３次元、または多視点画像信号のコンテンツに応じて、最適な表示モードを選択して３次元、および多視点表示を行うことができる。
なお、発光画素ごとにＴＦＴを設ける構成に限定するものではなく、１つの発光画素Ｌの単位で点灯および消灯可能であれば他の構成であっても良い。例えば、ＢＬ電極層４、および反射層２を配線層として利用し、発光画素Ｌごとに配線を引き出して駆動する構成であっても良い。
【００７８】
（変形例２）
図３を用いて説明する。
前記各実施形態、および各変形例においては、図３に示すように、ＲＧＢに対応した画素Ｐ11，Ｐ12，Ｐ13から１つの略正方形のカラー画素を形成し、そのカラー画素を繰り返し配置する画素配列を採用していた。換言すれば、Ｙ軸方向に長い長方形の画素を、Ｘ軸方向に３つ並べて略正方形からなる１つのカラー画素を形成する画素配列を採用していたが、カラー画素の態様をこれに限定するものではない。
具体的には、１つのカラー画素内におけるカラーフィルタの配列は、ＲＧＢの各色が含まれていれば良く、ＢＲＧであっても良いし、ＧＢＲであっても良い。
また、カラーフィルタの色数は、ＲＧＢの３色に限定するものではなく、さらにシアン、マゼンタ、イエローなどの色調が含まれていても良い。
また、カラー画素の形状は正方形であることに限定されず、表示される画像コンテンツなどの用途に応じて変更しても良い。例えば、カラー画素の形状は長方形であっても良く、その場合、カラー画素の３画素の形状もそれに合わせて変更する。
これらの構成であっても、前記各実施形態、および各変形例と略同様な作用効果を得ることができる。
【００７９】
（変形例３）
前記各実施形態、および各変形例において、ＢＬ１０，２０は、複数の発光画素を備えたトップエミッション型のバックライトであるものとして説明したが、前述したような複数の発光画素を備えた面発光装置であれば良い。
例えば、ＢＬは、発光画素電極が形成された基板側から光を出射するボトムエミッション型の有機ＥＬ光源装置であっても良い。または、複数の発光画素としてＬＥＤ（Light Emitting Diode）を用いた面発光装置であっても良い。
この構成であっても、前記各実施形態、および変形例と略同様な作用効果を得ることができる。
【図面の簡単な説明】
【００８０】
【図１】実施形態１に係る表示装置の概略構成図。
【図２】（ａ）表示パネルの側断面図、（ｂ）側断面図におけるｑ部の部分拡大図。
【図３】液晶パネルにおける表示領域の平面図。
【図４】（ａ）ＢＬの平面的な発光画素配置を示す図、（ｂ）発光画素の配線態様を示す図。
【図５】３次元表示における発光画素の点灯態様図。
【図６】（ａ）３次元表示における右視点から観察した画素態様図、（ｂ）左視点から観察した画素態様図。
【図７】多視点表示における発光画素の点灯態様図。
【図８】（ａ）多視点表示における視点２から観察した画素態様図、（ｂ）従来構成の多視点表示において視点２から観察した画素態様図。
【図９】（ａ）実施形態２に係るＢＬの平面的な発光画素配置図、（ｂ）発光画素の配線態様図。
【図１０】（ａ）多視点表示における視点２から観察した画素態様図、（ｂ）従来構成の多視点表示において視点２から観察した画素態様図。
【図１１】電子機器としての携帯電話を示す図。
【図１２】従来の表示装置による指向性表示の態様図。
【図１３】従来の表示装置における２視点の画素態様を示す図。
【符号の説明】
【００８１】
１０，２０…面発光装置としてのＢＬ（バックライト）、５０…液晶パネル、６０…表示パネル、７０…画像信号処理部、７３…制御部、７４…記憶部、１００…表示装置、３００…電子機器としての携帯電話、Ｃａ…第１のカラー画素、Ｃｂ…第２のカラー画素、ｈ，ｈａ，ｈｂ，ｈｃ…配線、Ｐ11〜Ｐmn…画素、Ｐ11〜Ｐm1…画素行、Ｐ11〜Ｐ1n…画素列、Ｌ，Ｌａ，Ｌｂ…発光画素（斜め発光画素列）。
【図１】
2010044181.tif 000003
【図２】
2010044181.tif 000004
【図３】
2010044181.tif 000005
【図４】
2010044181.tif 000006
【図５】
2010044181.tif 000007
【図６】
2010044181.tif 000008
【図７】
2010044181.tif 000009
【図８】
2010044181.tif 000010
【図９】
2010044181.tif 000011
【図１０】
2010044181.tif 000012
【図１１】
2010044181.tif 000013
【図１２】
2010044181.tif 000014
【図１３】
2010044181.tif 000015